(57)【要約】【課題】  ランプの本数が多くなった場合においても、ランプの輝度のばらつきを抑えつつ安定的に点灯させる。【解決手段】  本ランプ点灯回路は、所定数のランプと当該所定数のトランスの二次巻線とを直列に接続した閉ループを複数有する。そして、各閉ループに用いられるトランスの一次巻線のうち少なくとも１つが、他の閉ループに用いられるトランスの一次巻線と直列に接続されるものである。このような構成を採用することにより、閉ループに含まれるランプの電流は均一化され、閉ループ間についてもトランスの一次巻線の直列接続により電流の均一化が図られる。なお、本発明によれば、トランスの一次巻線の直列接続についてはトランスの個数を制限しても、閉ループを次々に連鎖させて電流の均一性を全体に伝播させることができる。【選択図】  図２
2006236876.tif 000002
【特許請求の範囲】
【請求項１】
所定数のランプと前記所定数のトランスの二次巻線とを直列に接続した閉ループを複数有し、
各前記閉ループに用いられるトランスの一次巻線のうち少なくとも１つが、他の前記閉ループに用いられるトランスの一次巻線と直列に接続される
ランプ点灯回路。
【請求項２】
所定数のランプと前記所定数のトランスの二次巻線とを直列に接続した閉ループを複数有し、
各前記閉ループに用いられるトランスの一次巻線の全てが、それぞれ異なる他の前記閉ループに用いられるトランスの一次巻線と直列に接続される
ランプ点灯回路。
【請求項３】
前記所定数が２であることを特徴とする請求項２記載のランプ点灯回路。
【請求項４】
２本のランプと２つのトランスの二次巻線とを、ランプとトランスの二次巻線とが交互になるように直列に接続した第１の閉ループと、
２本のランプと２つのトランスの二次巻線とを、ランプとトランスの二次巻線とが交互になるように直列に接続した第２の閉ループと、
２本のランプと２つのトランスの二次巻線とを、ランプとトランスの二次巻線とが交互になるように直列に接続した第３の閉ループと、
を有し、
前記第１の閉ループにおいて用いられる第１のトランスの一次巻線と、前記第２の閉ループにおいて用いられるいずれかのトランスの一次巻線とが直列に接続され、
前記第１の閉ループにおいて用いられる第２のトランスの一次巻線と、前記第３の閉ループにおいて用いられるいずれかのトランスの一次巻線とが直列に接続される
ランプ点灯回路。
【請求項５】
第１の所定数のランプと前記第１の所定数のトランスの二次巻線とを直列に接続した閉ループを複数有し、
前記複数の閉ループに用いられるトランスのうち、異なる前記閉ループに用いられている第２の所定数のトランスの一次巻線を直列に接続し、
前記第２の所定数のトランスの二次巻線がその一部を構成する閉ループのグループにおいて用いられている他のトランスの一次巻線の少なくとも１つが、前記閉ループのグループ以外の閉ループにおいて用いられるトランスの一次巻線と直列に接続される
ランプ点灯回路。
【請求項６】
第１の所定数のランプと前記第１の所定数のトランスの二次巻線とを直列に接続した閉ループを複数有し、
前記複数の閉ループにおいて用いられるトランスは、第２の所定数毎にグループ化されており、
前記グループ内のトランスの一次巻線は、直列に接続されており、
前記グループ内のトランスの二次巻線がその一部を構成する閉ループにおいて用いられている他のトランスが、他のグループに属している
ランプ点灯回路。
【請求項７】
一次巻線が電源に接続され二次巻線がランプに接続されたトランスを複数備えるランプ点灯回路であって、
前記一次巻線が少なくとも２つ直列配置された複数の一次側閉ループと、
前記二次巻線が少なくとも２つ直列配置された複数の二次側閉ループと、
を具備し、
前記一次側閉ループと前記二次側閉ループとは前記トランスを介して結合され、
前記二次側閉ループの少なくとも一つは、前記一次側閉ループを介して少なくとも２つの他の二次側閉ループと結合する
ことを特徴とするランプ点灯回路。
【請求項８】
前記二次側閉ループの少なくとも一つは、前記一次側閉ループを介して一つの他の二次側閉ループと結合することを特徴とする請求項７記載のランプ点灯回路。
【請求項９】
一次巻線が電源に接続され二次巻線がランプに接続されたトランスを複数備えるランプ点灯回路であって、
前記一次巻線が少なくとも２つ直列配置された複数の一次側閉ループと、
前記二次巻線が少なくとも２つ直列配置された複数の二次側閉ループと、
を具備し、
前記一次側閉ループと前記二次側閉ループとは前記トランスを介して結合され、
前記二次側閉ループの全ては、前記一次側閉ループ又は前記一次側閉ループと他の二次側閉ループを介して、他の全ての二次側閉ループと結合する
ことを特徴とするランプ点灯回路。
【請求項１０】
前記トランスの総数が前記一次側閉ループの総数と前記二次閉ループの総数との積より少ないことを特徴とする請求項９記載のランプ点灯回路。
【請求項１１】
一次巻線が電源に接続され二次巻線がランプに接続されたトランスを複数備えるランプ点灯回路であって、
前記一次巻線が少なくとも２つ直列配置された複数の一次側閉ループと、
前記二次巻線が少なくとも２つ直列配置された複数の二次側閉ループと、
を具備し、
前記一次側閉ループと前記二次側閉ループとは前記トランスを介して結合され、
前記一次側閉ループの少なくとも一つは、前記二次側閉ループを介して少なくとも２つの他の一次側閉ループと結合する
ことを特徴とするランプ点灯回路。
【請求項１２】
前記一次側閉ループの少なくとも一つは、前記一次側閉ループを介して１つの他の一次側閉ループと結合することを特徴とする請求項１１記載のランプ点灯回路。
【請求項１３】
一次巻線が電源に接続され二次巻線がランプに接続されたトランスを複数備えるランプ点灯回路であって、
前記一次巻線が少なくとも２つ直列配置された複数の一次側閉ループと、
前記二次巻線が少なくとも２つ直列配置された複数の二次側閉ループと、
を具備し、
前記一次側閉ループと前記二次側閉ループとは前記トランスを介して結合され、
前記一次側閉ループの全ては、前記二次側閉ループ又は前記二次側閉ループと他の一次側閉ループを介して他の全ての前記一次側閉ループと結合する
ことを特徴とするランプ点灯回路。
【請求項１４】
前記トランスの総数が前記一次側閉ループの総数と前記二次閉ループの総数との積より少ないことを特徴とする請求項１３記載のランプ点灯回路。
【請求項１５】
一次巻線が電源に接続され二次巻線がランプに接続されたトランスを複数備えるランプ点灯回路であって、
前記一次巻線が少なくとも２つ直列配置された複数の一次側閉ループと、
前記二次巻線が少なくとも２つ直列配置された複数の二次側閉ループと、
を具備し、
前記一次側閉ループと前記二次側閉ループとは前記トランスを介して結合され、
前記二次側閉ループの少なくとも一つは、前記一次側閉ループを介して少なくとも２つの他の二次側閉ループと結合するとともに、
前記一次側閉ループの少なくとも一つは、前記二次側閉ループを介して少なくとも２つの他の一次側閉ループと結合する
ことを特徴とするランプ点灯回路。
【請求項１６】
一次巻線が電源に接続され二次巻線がランプに接続されたトランスを複数備えるランプ点灯回路であって、
前記一次巻線が少なくとも２つ直列配置された複数の一次側閉ループと、
前記二次巻線が少なくとも２つ直列配置された複数の二次側閉ループと、
を具備し、
前記一次側閉ループと前記二次側閉ループとは前記トランスを介して交互に鎖状に結合され、
前記一次側閉ループと前記二次側閉ループとの交互結合部を少なくとも３つ備える
ことを特徴とするランプ点灯回路。
【発明の詳細な説明】
【技術分野】
【０００１】
本発明は、ランプ（例えば放電管）点灯回路に関する。
【背景技術】
【０００２】
例えば液晶表示装置のバックライトには従来から冷陰極線蛍光管などの放電管が良く用いられている。近年液晶表示装置の大型化によりバックライトに用いられる放電管の数は増加しているが、それらに流れる電流を均一化させ、輝度を均一化することが求められている。
【０００３】
図１に実開昭５９−１８７０９７号公報に開示された点灯回路を示す。図１に示す点灯回路は、インバータＶ１０１と、トランスＴ１０１及びＴ１０２と、放電管ＬＰ１０１及びＬＰ１０２と、キャパシタＣ１０１，Ｃ１０２及びＣ１０３とを有する。インバータＶ１０１は、トランスＴ１０１の一次巻線の端子Ｐ１及びＰ２、トランスＴ１０２の一次巻線の端子Ｐ１及びＰ２に接続されている。なお、トランスＴ１０１の一次巻線の端子Ｐ１と二次巻線の端子Ｓ１はキャパシタＣ１０２を介して接続されており、トランスＴ１０２の一次巻線の端子Ｐ１と二次巻線の端子Ｓ１ともキャパシタＣ１０３を介して接続されている。さらに、放電管ＬＰ１０１の第１の端子は、トランスＴ１０１の二次巻線の端子Ｓ１と接続されており、放電管ＬＰ１０１の第２の端子は、トランスＴ１０２の二次巻線の端子Ｓ１と接続されている。放電管ＬＰ１０２の第１の端子は、トランスＴ１０１の二次巻線の端子Ｓ２と接続されており、放電管ＬＰ１０２の第２の端子は、キャパシタＣ１０１を介してトランスＴ１０２の二次巻線の端子Ｓ２と接続されている。このように、放電管ＬＰ１０１及びＬＰ１０２は、左右両極が逆極性のフローティング差動駆動となっている。但し、トランスＴ１０１及びＴ１０２の二次巻線にはキャパシタが接続されており、このキャパシタの容量分だけ両放電管ＬＰ１０１及びＬＰ１０２の電流バランスがずれ、放電管の輝度に差が出るという問題がある。また、放電管が３以上の場合にどのような構成が好ましいのかといった考察はなされていない。
【特許文献１】実開昭５９−１８７０９７号公報
【発明の開示】
【発明が解決しようとする課題】
【０００４】
従って、本発明の目的は、ランプの本数が多くなった場合においても、ランプの輝度のばらつきを抑えつつ安定的に点灯させるための技術を提供することである。
【課題を解決するための手段】
【０００５】
本発明の第１の態様に係るランプ点灯回路は、所定数のランプと当該所定数のトランスの二次巻線とを直列に接続した閉ループを複数有する。そして、各閉ループに用いられるトランスの一次巻線のうち少なくとも１つが、他の閉ループに用いられるトランスの一次巻線と直列に接続されるものである。このような構成を採用することにより、閉ループに含まれるランプの電流は均一化され、閉ループ間についてもトランスの一次巻線の直列接続により電流の均一化が図られる。なお、本発明によれば、トランスの一次巻線の直列接続についてはトランスの個数を制限しても、閉ループを次々に連鎖させて電流の均一性を全体に伝播させることができる。
【０００６】
本発明の第２の態様に係るランプ点灯回路は、所定数のランプと当該所定数のトランスの二次巻線とを直列に接続した閉ループを複数有する。そして、各閉ループに用いられるトランスの一次巻線の全てが、それぞれ異なる他の閉ループに用いられるトランスの一次巻線と直列に接続されるものである。このようにすれば、閉ループ間の結合が強くなり、電流の均一性が全体に伝播しやすくなる。
【０００７】
なお、上で述べた所定数が２である場合もある。所定数が２の場合には、閉ループは数珠繋ぎ状に一周するように連結される。
【０００８】
本発明の第３の態様に係るランプ点灯回路は、２本のランプと２つのトランスの二次巻線とを、ランプとトランスの二次巻線とが交互になるように直列に接続した第１の閉ループと、２本のランプと２つのトランスの二次巻線とを、ランプとトランスの二次巻線とが交互になるように直列に接続した第２の閉ループと、２本のランプと２つのトランスの二次巻線とを、ランプとトランスの二次巻線とが交互になるように直列に接続した第３の閉ループとを有する。そして、第１の閉ループにおいて用いられる第１のトランスの一次巻線と、第２の閉ループにおいて用いられるいずれかのトランスの一次巻線とが直列に接続され、第１の閉ループにおいて用いられる第２のトランスの一次巻線と、第３の閉ループにおいて用いられるいずれかのトランスの一次巻線とが直列に接続されるものである。このように閉ループが数珠繋ぎ状に連鎖するようになるので、電流の均一性が連鎖に沿って伝播する。
【０００９】
本発明の第４の態様に係るランプ点灯回路は、第１の所定数のランプと第１の所定数のトランスの二次巻線とを直列に接続した閉ループを複数有する。そして、複数の閉ループに用いられるトランスのうち、異なる閉ループに用いられている第２の所定数のトランスの一次巻線を直列に接続し、第２の所定数のトランスの二次巻線がその一部を構成する閉ループのグループにおいて用いられている他のトランスの一次巻線の少なくとも１つが、上記閉ループのグループ以外の閉ループにおいて用いられるトランスの一次巻線と直列に接続されるものである。このような構成を採用しても、閉ループに含まれるランプの電流は均一化される。
【００１０】
本発明の第５の態様に係るランプ点灯回路は、第１の所定数のランプと第１の所定数のトランスの二次巻線とを直列に接続した閉ループを複数有する。そして、複数の閉ループにおいて用いられるトランスは、第２の所定数毎にグループ化されており、グループ内のトランスの一次巻線は、直列に接続されており、グループ内のトランスの二次巻線がその一部を構成する閉ループにおいて用いられている他のトランスが、他のグループに属しているものである。閉ループ間の結合が強くなり、電流の均一性の精度が高くなる。
【００１１】
本発明の第６の態様に係るランプ点灯回路は、一次巻線が電源に接続され二次巻線がランプに接続されたトランスを複数備えるランプ点灯回路であって、一次巻線が少なくとも２つ直列配置された複数の一次側閉ループと、二次巻線が少なくとも２つ直列配置された複数の二次側閉ループとを有する。そして、一次側閉ループと二次側閉ループとはトランスを介して結合され、二次側閉ループの少なくとも一つは、一次側閉ループを介して少なくとも２つの他の二次側閉ループと結合するものである。
【００１２】
なお、本発明の第６の態様に係るランプ点灯回路においては、二次側閉ループの少なくとも一つが、一次側閉ループを介して一つの他の二次側閉ループと結合するようにしてもよい。
【００１３】
本発明の第７の態様に係るランプ点灯回路は、一次巻線が電源に接続され二次巻線がランプに接続されたトランスを複数備えるランプ点灯回路であって、一次巻線が少なくとも２つ直列配置された複数の一次側閉ループと、二次巻線が少なくとも２つ直列配置された複数の二次側閉ループとを有する。そして、一次側閉ループと二次側閉ループとはトランスを介して結合され、二次側閉ループの全ては、一次側閉ループ又は一次側閉ループと他の二次側閉ループを介して、他の全ての二次側閉ループと結合するものである。
【００１４】
本発明の第７の態様に係るランプ点灯回路において、トランスの総数が一次側閉ループの総数と二次閉ループの総数との積より少なくなるようにすることも可能である。
【００１５】
本発明の第８の態様に係るランプ点灯回路は、一次巻線が電源に接続され二次巻線がランプに接続されたトランスを複数備えるランプ点灯回路であって、一次巻線が少なくとも２つ直列配置された複数の一次側閉ループと、二次巻線が少なくとも２つ直列配置された複数の二次側閉ループとを有する。そして、一次側閉ループと二次側閉ループとはトランスを介して結合され、一次側閉ループの少なくとも一つは、二次側閉ループを介して少なくとも２つの他の一次側閉ループと結合するものである。
【００１６】
また、本発明の第８の態様に係るランプ点灯回路においては、一次側閉ループの少なくとも一つは、一次側閉ループを介して１つの他の一次側閉ループと結合するようにしてもよい。
【００１７】
本発明の第９の態様に係るランプ点灯回路は、一次巻線が電源に接続され二次巻線がランプに接続されたトランスを複数備えるランプ点灯回路であって、一次巻線が少なくとも２つ直列配置された複数の一次側閉ループと、二次巻線が少なくとも２つ直列配置された複数の二次側閉ループとを有する。そして、一次側閉ループと二次側閉ループとはトランスを介して結合され、一次側閉ループの全ては、二次側閉ループ又は二次側閉ループと他の一次側閉ループを介して他の全ての一次側閉ループと結合するものである。
【００１８】
本発明の第９の態様に係るランプ点灯回路においては、トランスの総数が一次側閉ループの総数と二次閉ループの総数との積より少なくなるようにしてもよい。
【００１９】
本発明の第１０の態様に係るランプ点灯回路は、一次巻線が電源に接続され二次巻線がランプに接続されたトランスを複数備えるランプ点灯回路であって、一次巻線が少なくとも２つ直列配置された複数の一次側閉ループと、二次巻線が少なくとも２つ直列配置された複数の二次側閉ループとを有する。そして、一次側閉ループと二次側閉ループとはトランスを介して結合され、二次側閉ループの少なくとも一つは、一次側閉ループを介して少なくとも２つの他の二次側閉ループと結合するとともに、一次側閉ループの少なくとも一つは、二次側閉ループを介して少なくとも２つの他の一次側閉ループと結合するものである。
【００２０】
本発明の第１１の態様に係るランプ点灯回路は、一次巻線が電源に接続され二次巻線がランプに接続されたトランスを複数備えるランプ点灯回路であって、一次巻線が少なくとも２つ直列配置された複数の一次側閉ループと、二次巻線が少なくとも２つ直列配置された複数の二次側閉ループとを有する。そして、一次側閉ループと二次側閉ループとはトランスを介して交互に鎖状に結合され、一次側閉ループと二次側閉ループとの交互結合部を少なくとも３つ備えるものである。
【００２１】
以上のような構成を実現するための回路は複数存在しており、以下に具体例を示すが、本発明はこれに限定されるものではない。
【発明の効果】
【００２２】
本発明によれば、ランプの本数が多くなった場合においても、ランプの輝度のばらつきを抑えつつ安定的に点灯させることができるようになる。
【発明を実施するための最良の形態】
【００２３】
１．実施の形態１
図２に第１の実施の形態に係る放電管点灯回路１０を示す。放電管点灯回路１０は、トランスＴ１乃至Ｔ２０と、冷陰極線蛍光管などの放電管ＬＰ１乃至ＬＰ２０とを有する。トランスＴ１の一次巻線の端子Ｐ１は、トランスＴ１９の一次巻線の端子Ｐ２と、電圧検出端子Ｓ５とに接続されている。トランスＴ１９の一次巻線の端子Ｐ１は、ＩＮＶ＋端子を介して図示しないインバータ回路の第１の端子に接続されている。また、トランスＴ１の一次巻線の端子Ｐ２は、ＩＮＶ−端子を介して図示しないインバータ回路の第２の端子に接続されている。すなわち、トランスＴ１及びＴ１９の一次巻線は直列に接続されている。また、トランスＴ１の二次巻線の端子Ｓ１は、放電管ＬＰ１の一端に接続されており、放電管ＬＰ１の他端は、トランスＴ２の二次巻線の端子Ｓ１に接続されている。さらに、トランスＴ２の二次巻線の端子Ｓ２は、放電管ＬＰ２の一端に接続され、放電管ＬＰ２の他端は、トランスＴ１の二次巻線の端子Ｓ２に接続されている。すなわち、トランスＴ１及びＴ２の二次巻線と放電管ＬＰ１及びＬＰ２は、閉ループを構成している。さらに、トランスＴ２の一次巻線の端子Ｐ１は、ＩＮＶ−端子を介して図示しないインバータ回路の第２の端子に接続されており、トランスＴ２の一次巻線の端子Ｐ２は、電圧検出端子Ｓ６とトランスＴ４の一次巻線の端子Ｐ１に接続されている。トランスＴ４の一次巻線の端子Ｐ２は、ＩＮＶ＋端子に接続されている。すなわち、トランスＴ２及びトランスＴ４の一次巻線は直列に接続されている。このように、放電管ＬＰ１の両端に左から＋−という極性の電圧が印加されている場合には、放電管ＬＰ２の両端に左から−＋という極性の電圧が印可させている。このように、１つの閉ループに含まれる放電管ＬＰ１及びＬＰ２は、差動フローティング駆動がなされている。
【００２４】
トランスＴ３の一次巻線の端子Ｐ１は、ＩＮＶ＋端子を介して図示しないインバータ回路の第１の端子に接続されている。また、トランスＴ３の一次巻線の端子Ｐ２は、電圧検出端子Ｓ１とトランスＴ５の一次巻線の端子Ｐ１とに接続されている。トランスＴ５の一次巻線の端子Ｐ２は、ＩＮＶ−端子に接続されている。すなわち、トランスＴ３及びＴ５の一次巻線は直列に接続されている。また、トランスＴ３の二次巻線の端子Ｓ１は、放電管ＬＰ３の一端に接続されており、放電管ＬＰ３の他端は、トランスＴ４の二次巻線の端子Ｓ１に接続されている。さらに、トランスＴ４の二次巻線の端子Ｓ２は、放電管ＬＰ４の一端に接続され、放電管ＬＰ４の他端は、トランスＴ３の二次巻線の端子Ｓ２に接続されている。すなわち、トランスＴ３及びＴ４の二次巻線と放電管ＬＰ３及びＬＰ４は、閉ループを構成している。この閉ループに含まれる放電管ＬＰ３及びＬＰ４も、差動フローティング駆動がなされている。
【００２５】
さらに、トランスＴ５の二次巻線の端子Ｓ１は、放電管ＬＰ５の一端に接続されており、放電管ＬＰ５の他端は、トランスＴ６の二次巻線の端子Ｓ１に接続されている。さらに、トランスＴ６の二次巻線の端子Ｓ２は、放電管ＬＰ６の一端に接続され、放電管ＬＰ６の他端は、トランスＴ５の二次巻線の端子Ｓ２に接続されている。このように、トランスＴ５及びＴ６の二次巻線と放電管ＬＰ５及びＬＰ６は、閉ループを構成している。この閉ループに含まれる放電管ＬＰ５及びＬＰ６も、差動フローティング駆動がなされている。
【００２６】
トランスＴ６の一次巻線の端子Ｐ１は、端子ＩＮＶ−に接続されており、トランスＴ６の一次巻線の端子Ｐ２は、電圧検出端子Ｓ７とトランスＴ８の一次巻線の端子Ｐ１に接続されている。トランスＴ８の一次巻線の端子Ｐ２は、ＩＮＶ＋端子に接続されている。このように、トランスＴ６とトランスＴ８の一次巻線は直列に接続されている。
【００２７】
さらに、トランスＴ８の二次巻線の端子Ｓ１は、放電管ＬＰ７の一端に接続されており、放電管ＬＰ７の他端は、トランスＴ７の二次巻線の端子Ｓ１に接続されている。さらに、トランスＴ７の二次巻線の端子Ｓ２は、放電管ＬＰ８の一端に接続され、放電管ＬＰ８の他端は、トランスＴ８の二次巻線の端子Ｓ２に接続されている。このように、トランスＴ７及びＴ８の二次巻線と放電管ＬＰ７及びＬＰ８も、閉ループを構成している。この閉ループに含まれる放電管ＬＰ７及びＬＰ８も、差動フローティング駆動がなされている。
【００２８】
トランスＴ７の一次巻線の端子Ｐ１は、端子ＩＮＶ＋に接続されており、トランスＴ７の一次巻線の端子Ｐ２は、電圧検出端子Ｓ２とトランスＴ９の一次巻線の端子Ｐ１に接続されている。トランスＴ９の一次巻線の端子Ｐ２は、端子ＩＮＶ−に接続されている。このように、トランスＴ７とトランスＴ９の一次巻線は直列に接続されている。
【００２９】
さらに、トランスＴ９の二次巻線の端子Ｓ１は、放電管ＬＰ９の一端に接続されており、放電管ＬＰ９の他端は、トランスＴ１０の二次巻線の端子Ｓ１に接続されている。さらに、トランスＴ１０の二次巻線の端子Ｓ２は、放電管ＬＰ１０の一端に接続され、放電管ＬＰ１０の他端は、トランスＴ９の二次巻線の端子Ｓ２に接続されている。このように、トランスＴ９及びＴ１０の二次巻線と放電管ＬＰ９及びＬＰ１０は、閉ループを構成している。この閉ループに含まれる放電管ＬＰ９及びＬＰ１０も、差動フローティング駆動がなされている。
【００３０】
トランスＴ１０の一次巻線の端子Ｐ１は、端子ＩＮＶ−に接続されており、トランスＴ１０の一次巻線の端子Ｐ２は、電圧検出端子Ｓ８とトランスＴ１２の一次巻線の端子Ｐ１に接続されている。トランスＴ１２の一次巻線の端子Ｐ２は、ＩＮＶ＋端子に接続されている。このように、トランスＴ１０とトランスＴ１２の一次巻線は直列に接続されている。
【００３１】
さらに、トランスＴ１２の二次巻線の端子Ｓ１は、放電管ＬＰ１１の一端に接続されており、放電管ＬＰ１１の他端は、トランスＴ１１の二次巻線の端子Ｓ１に接続されている。さらに、トランスＴ１１の二次巻線の端子Ｓ２は、放電管ＬＰ１２の一端に接続され、放電管ＬＰ１２の他端は、トランスＴ１２の二次巻線の端子Ｓ２に接続されている。このように、トランスＴ１１及びＴ１２の二次巻線と放電管ＬＰ１１及びＬＰ１２は、閉ループを構成している。この閉ループに含まれる放電管ＬＰ１１及びＬＰ１２も、差動フローティング駆動がなされている。
【００３２】
トランスＴ１１の一次巻線の端子Ｐ１は、端子ＩＮＶ＋に接続されており、トランスＴ１１の一次巻線の端子Ｐ２は、電圧検出端子Ｓ３とトランスＴ１３の一次巻線の端子Ｐ１に接続されている。トランスＴ１３の一次巻線の端子Ｐ２は、端子ＩＮＶ−に接続されている。このように、トランスＴ１１とトランスＴ１３の一次巻線は直列に接続されている。
【００３３】
さらに、トランスＴ１３の二次巻線の端子Ｓ１は、放電管ＬＰ１３の一端に接続されており、放電管ＬＰ１３の他端は、トランスＴ１４の二次巻線の端子Ｓ１に接続されている。さらに、トランスＴ１４の二次巻線の端子Ｓ２は、放電管ＬＰ１４の一端に接続され、放電管ＬＰ１４の他端は、トランスＴ１３の二次巻線の端子Ｓ２に接続されている。このように、トランスＴ１３及びＴ１４の二次巻線と放電管ＬＰ１３及びＬＰ１４は、閉ループを構成している。この閉ループに含まれる放電管ＬＰ１３及びＬＰ１４も、差動フローティング駆動がなされている。
【００３４】
トランスＴ１４の一次巻線の端子Ｐ１は、端子ＩＮＶ−に接続されており、トランスＴ１４の一次巻線の端子Ｐ２は、電圧検出端子Ｓ９とトランスＴ１６の一次巻線の端子Ｐ１に接続されている。トランスＴ１６の一次巻線の端子Ｐ２は、ＩＮＶ＋端子に接続されている。このように、トランスＴ１４とトランスＴ１６の一次巻線は直列に接続されている。
【００３５】
さらに、トランスＴ１６の二次巻線の端子Ｓ１は、放電管ＬＰ１５の一端に接続されており、放電管ＬＰ１５の他端は、トランスＴ１５の二次巻線の端子Ｓ１に接続されている。さらに、トランスＴ１５の二次巻線の端子Ｓ２は、放電管ＬＰ１６の一端に接続され、放電管ＬＰ１６の他端は、トランスＴ１６の二次巻線の端子Ｓ２に接続されている。このように、トランスＴ１５及びＴ１６の二次巻線と放電管ＬＰ１５及びＬＰ１６は、閉ループを構成している。この閉ループに含まれる放電管ＬＰ１５及びＬＰ１６も、差動フローティング駆動がなされている。
【００３６】
トランスＴ１５の一次巻線の端子Ｐ１は、端子ＩＮＶ＋に接続されており、トランスＴ１５の一次巻線の端子Ｐ２は、電圧検出端子Ｓ４とトランスＴ１７の一次巻線の端子Ｐ１に接続されている。トランスＴ１７の一次巻線の端子Ｐ２は、端子ＩＮＶ−に接続されている。このように、トランスＴ１５とトランスＴ１７の一次巻線は直列に接続されている。
【００３７】
さらに、トランスＴ１７の二次巻線の端子Ｓ１は、放電管ＬＰ１７の一端に接続されており、放電管ＬＰ１７の他端は、トランスＴ１８の二次巻線の端子Ｓ１に接続されている。さらに、トランスＴ１８の二次巻線の端子Ｓ２は、放電管ＬＰ１８の一端に接続され、放電管ＬＰ１８の他端は、トランスＴ１７の二次巻線の端子Ｓ２に接続されている。このように、トランスＴ１７及びＴ１８の二次巻線と放電管ＬＰ１７及びＬＰ１８は、閉ループを構成している。この閉ループに含まれる放電管ＬＰ１７及びＬＰ１８も、差動フローティング駆動がなされている。
【００３８】
トランスＴ１８の一次巻線の端子Ｐ１は、端子ＩＮＶ−に接続されており、トランスＴ１８の一次巻線の端子Ｐ２は、電圧検出端子Ｓ１０とトランスＴ２０の一次巻線の端子Ｐ１に接続されている。トランスＴ２０の一次巻線の端子Ｐ２は、ＩＮＶ＋端子に接続されている。このように、トランスＴ１８とトランスＴ２０の一次巻線は直列に接続されている。
【００３９】
さらに、トランスＴ２０の二次巻線の端子Ｓ１は、放電管ＬＰ１９の一端に接続されており、放電管ＬＰ１９の他端は、トランスＴ１９の二次巻線の端子Ｓ１に接続されている。さらに、トランスＴ１９の二次巻線の端子Ｓ２は、放電管ＬＰ２０の一端に接続され、放電管ＬＰ２０の他端は、トランスＴ２０の二次巻線の端子Ｓ２に接続されている。このように、トランスＴ１９及びＴ２０の二次巻線と放電管ＬＰ１９及びＬＰ２０は、閉ループを構成している。この閉ループに含まれる放電管ＬＰ１９及びＬＰ２０も、差動フローティング駆動がなされている。
【００４０】
このように、各閉ループにおいては電流は均一化されており、トランスＴ２とトランスＴ４の一次巻線の直列接続により、トランスＴ２及びトランスＴ４の二次巻線を含む閉ループの電流も均一化される。同様に、トランスＴ３とトランスＴ５の一次巻線の直列接続により、トランスＴ３とトランスＴ５の二次巻線を含む閉ループの電流も均一化される。さらに、トランスＴ６とトランスＴ８の一次巻線の直列接続により、トランスＴ６とトランスＴ８の二次巻線を含む閉ループの電流が均一化される。トランスＴ７とトランスＴ９の一次巻線の直列接続により、トランスＴ７とトランスＴ９の二次巻線を含む閉ループの電流が均一化される。さらに、トランスＴ１０とトランスＴ１２の一次巻線の直列接続により、トランスＴ１０とトランスＴ１２の二次巻線を含む閉ループの電流が均一化される。また、トランスＴ１１とトランスＴ１３の一次巻線の直列接続により、トランスＴ１１とトランスＴ１３の二次巻線を含む閉ループの電流が均一化される。さらに、トランスＴ１４とトランスＴ１６の一次巻線の直列接続により、トランスＴ１４とトランスＴ１６の二次巻線を含む閉ループの電流が均一化される。また、トランスＴ１５とトランスＴ１７の一次巻線の直列接続により、トランスＴ１５とトランスＴ１７の二次巻線を含む閉ループの電流が均一化される。さらに、トランスＴ１８とトランスＴ２０の一次巻線の直列接続により、トランスＴ１８とトランスＴ２０の二次巻線を含む閉ループの電流が均一化される。また、トランスＴ１９とトランスＴ１の一次巻線の直列接続により、トランスＴ１９とトランスＴ１の二次巻線を含む閉ループの電流が均一化される。このように電流の均一性が、閉ループがトランスを介して数珠繋ぎに一周するように連結されて伝播する。一周してしまっているので、電流バランス能力は多少落ちるが、多少の輝度傾斜が発生するだけで、輝度むらは発生しない。
【００４１】
また、トランスの一次巻線の直列接続は、全て２直列に抑えられている。また、トランスの二次巻線側に設けられる閉ループについても放電管は２直列に抑えられている。このような場合、電圧検出端子を介して接続される電圧検出回路において異常検出の感度も高くなる。
【００４２】
電圧検出端子Ｓ１乃至Ｓ１０が接続される回路の一例を図３に示す。電圧検出端子Ｓ１はダイオードＤ１のアノードに、電圧検出端子Ｓ２はダイオードＤ２のアノードに、電圧検出端子Ｓ３はダイオードＤ３のアノードに、電圧検出端子Ｓ４はダイオードＤ４のアノードに、電圧検出端子Ｓ５はダイオードＤ５のアノードに、電圧検出端子Ｓ６はダイオードＤ６のアノードに、電圧検出端子Ｓ７はダイオードＤ７のアノードに、電圧検出端子Ｓ８はダイオードＤ８のアノードに、電圧検出端子Ｓ９はダイオードＤ９のアノードに、電圧検出端子Ｓ１０はダイオードＤ１０のアノードに接続される。そして、全てのダイオードＤ１乃至Ｄ１０のカソードは抵抗Ｒ２の一端に接続される。このようにすれば、いずれかの電圧検出端子における電圧のうち最大の電圧が抵抗Ｒ２の一端に現れる。抵抗Ｒ２の他端は、キャパシタＣ１の一端と抵抗Ｒ１の一端と端子ＥＶ＿ＳＥＮＳとに接続される。抵抗Ｒ１の他端とキャパシタＣ１の他端は接地されている。端子ＥＶ＿ＳＥＮＳに接続された回路により、トランスの二次巻線側の異常を検出する。
【００４３】
図４を用いて電圧検出端子において検出される電位を説明する。図４では、ＩＮＶ＋端子と、ＩＮＶ−端子と、その中点となる電圧検出端子Ｓ１乃至Ｓ１０とを横軸に表し、電圧を縦軸に表している。図４において太線ｃは、正常時の電位の関係を表し、右下がりの太線ｃはＩＮＶ−端子の方が正極のピークの場合を表しており、左下がりの太線はＩＮＶ＋端子の方が正極のピークの場合を表している。一方、例えばＩＮＶ＋端子側が低インピーダンス状態になると、一点鎖線ｂのような電位関係となる。すなわち、ＩＮＶ−端子の方が正極のピークの場合下に凸の折れ線となり、ＩＮＶ＋端子の方が正極のピークの場合上に凸の折れ線となる。中点における電位を見てみると、正常時に比して高くなる場合がある。さらに、例えばＩＮＶ−端子側が低インピーダンス状態になると、点線ａのような電位関係となる。すなわち、ＩＮＶ−端子の方が正極のピークの場合上に凸の折れ線となり、ＩＮＶ＋端子の方が正極のピークの場合下に凸の折れ線となる。中点における電位を見てみると、正常時に比して高くなる場合がある。
【００４４】
このように、図２のような一次巻線を２直列にする方式であれば、同期検波しなくとも、図４に示すように、異常が発生すれば電位があがるので、異常を検出することができる。また、閉ループ内の２本の放電管が同時にバランスして異常になったとしても、その両側の隣接する電圧検出端子では、電位が上昇する。そのため、図３のようなダイオードにてＯＲを取るような回路で、全ての放電管についてのインピーダンス異常を検出することができる。
【００４５】
なお、図５乃至図７に示すような放電管点灯回路を採用する場合もある。しかし、図５のように一次巻線のみを直列に接続する方法では、二次巻線における電流は均一化されるが放電管１本につきトランスが２個必要となり、またあまり多数のトランスの一次巻線を直列につなごうとすると、一次巻線側のインピーダンスが低くなりすぎて、リード線部分や半田付け部分などの抵抗成分の比率が上昇し、効率の劣化を招くおそれがある。また、図６のようにトランスの二次巻線側のみを直列に接続して閉ループを構成する方式を採用する場合もある。この場合、トランスの二次巻線側の電流は均一化されるが、多数の放電管を直列に接続すると浮遊容量などの影響で電流の均一化精度が劣化するという問題がある。また、トランスの二次巻線が高圧線となるため、異常放電耐圧の確保上難しい点がある。さらに、図７のようにトランスの一次巻線側を直列に接続し、さらにトランスの二次巻線と放電管を直列に接続して閉ループを構成する単純方式を採用することも可能である。しかし、図５及び図６よりは問題はないが、例えば２０本の放電管を点灯させるため、一次巻線側を５直列にし、二次巻線側の放電管を４直列にするような場合、またはそれ以上の放電管を点灯させるようにする場合には、配線やインピーダンスの問題が再発する。
【００４６】
一方、図２に示す本実施の形態のような放電管点灯回路１０では、電流均一化及び一次巻線側のインピーダンスの問題は発生しない。
【００４７】
２．実施の形態２
本発明の第２の実施の形態に係る放電管点灯回路２０を図８に示す。図８の放電管点灯回路２０は、トランスＴ２１乃至Ｔ４０と、放電管ＬＰ２１乃至ＬＰ４０とを有する。なお、放電管ＬＰ２１乃至ＬＰ２４を第１組、放電管ＬＰ２５乃至ＬＰ２８を第２組、放電管ＬＰ２９乃至ＬＰ３２を第３組、放電管ＬＰ３３乃至ＬＰ３６を第４組、放電管ＬＰ３７乃至ＬＰ４０を第５組とする。各組における放電管は直列に接続されている。また、各組における放電管に接続されるトランスも、同一の組に所属するものとする。
【００４８】
そして、トランスＴ２１の一次巻線の端子Ｐ１はＩＮＶ＋端子に接続され、端子Ｐ２は電圧検出端子Ｓ５とトランスＴ３９の一次巻線の端子Ｐ１とに接続される。トランスＴ３９の一次巻線の端子Ｐ２は、ＩＮＶ−端子に接続されている。すなわち、第１組に属するトランスＴ２１の一次巻線と第５組に属するトランスＴ３９の一次巻線とは直列に接続されている。
【００４９】
トランスＴ２１の二次巻線の端子Ｓ１は、放電管ＬＰ２１の一端に接続され、放電管ＬＰ２１の他端はトランスＴ２４の二次巻線の端子Ｓ２に接続される。トランスＴ２４の二次巻線の端子Ｓ１は、放電管ＬＰ２４の一端に接続され、放電管ＬＰ２４の他端は、トランスＴ２３の二次巻線の端子Ｓ２に接続されている。トランスＴ２３の二次巻線の端子Ｓ１は、放電管ＬＰ２３の一端に接続され、放電管ＬＰ２３の他端は、トランスＴ２２の二次巻線の端子Ｓ２に接続されている。トランスＴ２２の二次巻線の端子Ｓ１は、放電管ＬＰ２２の一端に接続され、放電管ＬＰ２２の他端は、トランスＴ２１の二次巻線の端子Ｓ２に接続される。このように、放電管ＬＰ２１乃至ＬＰ２４とトランスＴ２１乃至Ｔ２４は、第１組に属すると共に直列に接続されており、閉ループを構成している。この閉ループに含まれる放電管ＬＰ２１乃至ＬＰ２４は、差動フローティング駆動がなされている。
【００５０】
トランスＴ２２の一次巻線の端子Ｐ１は、電圧検出端子Ｓ１０とトランスＴ３６の一次巻線の端子Ｐ２に接続されている。トランスＴ３６の一次巻線の端子Ｐ１は、ＩＮＶ＋端子に接続されている。また、トランスＴ２２の一次巻線の端子Ｐ２は、ＩＮＶ−端子に接続されている。すなわち、第１組に属するトランスＴ２２の一次巻線と第４組に属するトランスＴ３６の一次巻線とは直列に接続されている。
【００５１】
さらに、トランスＴ２３の一次巻線の端子Ｐ１は、ＩＮＶ＋端子に接続されており、端子Ｐ２は、電圧検出端子Ｓ１とトランスＴ２５の一次巻線の端子Ｐ１とに接続されている。トランスＴ２５の一次巻線の端子Ｐ２は、ＩＮＶ−端子に接続されている。すなわち、第１組に属するトランスＴ２３の一次巻線と第２組に属するトランスＴ２５の一次巻線とは直列に接続されている。
【００５２】
また、トランスＴ２４の一次巻線の端子Ｐ１は、ＩＮＶ＋端子に接続されており、端子Ｐ２は、電圧検出端子Ｓ６とトランスＴ３０の一次巻線の端子Ｐ１とに接続されている。トランスＴ３０の一次巻線の端子Ｐ２は、ＩＮＶ−端子に接続されている。すなわち、第１組に属するトランスＴ２４の一次巻線と第３組に属するトランスＴ３０の一次巻線とは直列に接続されている。
【００５３】
上でも述べたように、トランスＴ２５の一次巻線の端子Ｐ１は、電圧検出端子Ｓ１とトランスＴ２３の一次巻線の端子Ｐ２に接続されており、トランスＴ２５の一次巻線の端子Ｐ２は、ＩＮＶ−端子に接続されている。すなわち、第２組に属するトランスＴ２５の一次巻線と第１組に属するトランスＴ２３の一次巻線とは直列に接続されている。
【００５４】
また、トランスＴ２５の二次巻線の端子Ｓ１は、放電管ＬＰ２５の一端に接続され、放電管ＬＰ２５の他端はトランスＴ２８の二次巻線の端子Ｓ２に接続される。トランスＴ２８の二次巻線の端子Ｓ１は、放電管ＬＰ２８の一端に接続され、放電管ＬＰ２８の他端は、トランスＴ２７の二次巻線の端子Ｓ２に接続されている。トランスＴ２７の二次巻線の端子Ｓ１は、放電管ＬＰ２７の一端に接続され、放電管ＬＰ２７の他端は、トランスＴ２６の二次巻線の端子Ｓ２に接続されている。トランスＴ２６の二次巻線の端子Ｓ１は、放電管ＬＰ２６の一端に接続され、放電管ＬＰ２６の他端は、トランスＴ２５の二次巻線の端子Ｓ２に接続される。このように、放電管ＬＰ２５乃至ＬＰ２８とトランスＴ２５乃至Ｔ２８は、第２組に属すると共に直列に接続されており、閉ループを構成している。この閉ループに含まれる放電管ＬＰ２５乃至ＬＰ２８も、差動フローティング駆動がなされている。
【００５５】
さらに、トランスＴ２６の一次巻線の端子Ｐ１は、電圧検出端子Ｓ９とトランスＴ４０の一次巻線の端子Ｐ２とに接続されており、トランスＴ２６の一次巻線の端子Ｐ２は、ＩＮＶ−端子に接続されている。トランスＴ４０の一次巻線の端子Ｐ１は、ＩＮＶ＋端子に接続されている。すなわち、第２組に属するトランスＴ２６の一次巻線と第５組に属するトランスＴ４０の一次巻線とは直列に接続されている。
【００５６】
また、トランスＴ２７の一次巻線の端子Ｐ１は、ＩＮＶ＋端子に接続されており、端子Ｐ２は、電圧検出端子Ｓ２とトランスＴ２９の一次巻線の端子Ｐ１とに接続されている。トランスＴ２９の一次巻線の端子Ｐ２は、ＩＮＶ−端子に接続されている。すなわち、第２組に属するトランスＴ２７の一次巻線と第３組に属するトランスＴ２９の一次巻線とは直列に接続されている。
【００５７】
また、トランスＴ２８の一次巻線の端子Ｐ１は、ＩＮＶ＋端子に接続されており、端子Ｐ２は、電圧検出端子Ｓ７とトランスＴ３４の一次巻線の端子Ｐ１とに接続されている。トランスＴ３４の一次巻線の端子Ｐ２は、ＩＮＶ−端子に接続されている。すなわち、第２組に属するトランスＴ２８の一次巻線と第４組に属するトランスＴ３４の一次巻線とは直列に接続されている。
【００５８】
上でも述べたように、トランスＴ２９の一次巻線の端子Ｐ１は、電圧検出端子Ｓ２とトランスＴ２７の一次巻線の端子Ｐ２に接続されており、トランスＴ２９の一次巻線の端子Ｐ２は、ＩＮＶ−端子に接続されている。すなわち、第３組に属するトランスＴ２９の一次巻線と第２組に属するトランスＴ２７の一次巻線とは直列に接続されている。
【００５９】
また、トランスＴ２９の二次巻線の端子Ｓ１は、放電管ＬＰ２９の一端に接続され、放電管ＬＰ２９の他端はトランスＴ３２の二次巻線の端子Ｓ２に接続される。トランスＴ３２の二次巻線の端子Ｓ１は、放電管ＬＰ３２の一端に接続され、放電管ＬＰ３２の他端は、トランスＴ３１の二次巻線の端子Ｓ２に接続されている。トランスＴ３１の二次巻線の端子Ｓ１は、放電管ＬＰ３１の一端に接続され、放電管ＬＰ３１の他端は、トランスＴ３０の二次巻線の端子Ｓ２に接続されている。トランスＴ３０の二次巻線の端子Ｓ１は、放電管ＬＰ３０の一端に接続され、放電管ＬＰ３０の他端は、トランスＴ２９の二次巻線の端子Ｓ２に接続される。このように、放電管ＬＰ２９乃至ＬＰ３２とトランスＴ２９乃至Ｔ３２は、第３組に属すると共に直列に接続されており、閉ループを構成している。この閉ループに含まれる放電管ＬＰ２９乃至ＬＰ３２も、差動フローティング駆動がなされている。
【００６０】
上でも述べたように、トランスＴ３０の一次巻線の端子Ｐ１は、電圧検出端子Ｓ６とトランスＴ２４の一次巻線の端子Ｐ２とに接続されており、トランスＴ３０の一次巻線の端子Ｐ２は、ＩＮＶ−端子に接続されている。すなわち、第３組に属するトランスＴ３０の一次巻線と第１組に属するトランスＴ２４の一次巻線とは直列に接続されている。
【００６１】
また、トランスＴ３１の一次巻線の端子Ｐ１は、ＩＮＶ＋端子に接続されており、端子Ｐ２は、電圧検出端子Ｓ３とトランスＴ３３の一次巻線の端子Ｐ１とに接続されている。トランスＴ３３の一次巻線の端子Ｐ２は、ＩＮＶ−端子に接続されている。すなわち、第３組に属するトランスＴ３１の一次巻線と第４組に属するトランスＴ３３の一次巻線とは直列に接続されている。
【００６２】
また、トランスＴ３２の一次巻線の端子Ｐ１は、ＩＮＶ＋端子に接続されており、端子Ｐ２は、電圧検出端子Ｓ８とトランスＴ３８の一次巻線の端子Ｐ１とに接続されている。トランスＴ３８の一次巻線の端子Ｐ２は、ＩＮＶ−端子に接続されている。すなわち、第３組に属するトランスＴ３２の一次巻線と第５組に属するトランスＴ３８の一次巻線とは直列に接続されている。
【００６３】
上でも述べたように、トランスＴ３３の一次巻線の端子Ｐ１は、電圧検出端子Ｓ３とトランスＴ３１の一次巻線の端子Ｐ２に接続されており、トランスＴ３３の一次巻線の端子Ｐ２は、ＩＮＶ−端子に接続されている。すなわち、第３組に属するトランスＴ３３の一次巻線と第２組に属するトランスＴ３１の一次巻線とは直列に接続されている。
【００６４】
また、トランスＴ３３の二次巻線の端子Ｓ１は、放電管ＬＰ３３の一端に接続され、放電管ＬＰ３３の他端はトランスＴ３６の二次巻線の端子Ｓ２に接続される。トランスＴ３６の二次巻線の端子Ｓ１は、放電管ＬＰ３６の一端に接続され、放電管ＬＰ３６の他端は、トランスＴ３５の二次巻線の端子Ｓ２に接続されている。トランスＴ３５の二次巻線の端子Ｓ１は、放電管ＬＰ３５の一端に接続され、放電管ＬＰ３５の他端は、トランスＴ３４の二次巻線の端子Ｓ２に接続されている。トランスＴ３４の二次巻線の端子Ｓ１は、放電管ＬＰ３４の一端に接続され、放電管ＬＰ３４の他端は、トランスＴ３３の二次巻線の端子Ｓ２に接続される。このように、放電管ＬＰ３３乃至ＬＰ３６とトランスＴ３３乃至Ｔ３６は、第４組に属すると共に直列に接続されており、閉ループを構成している。この閉ループに含まれる放電管ＬＰ３３乃至ＬＰ３６も、差動フローティング駆動がなされている。
【００６５】
上で述べたようにトランスＴ３４の一次巻線の端子Ｐ１は、電圧検出端子Ｓ７とトランスＴ２８の一次巻線の端子Ｐ２とに接続されており、トランスＴ３４の一次巻線の端子Ｐ２は、ＩＮＶ−端子に接続されている。すなわち、第４組に属するトランスＴ３４の一次巻線と第２組に属するトランスＴ２８の一次巻線とは直列に接続されている。
【００６６】
また、トランスＴ３５の一次巻線の端子Ｐ１は、ＩＮＶ＋端子に接続されており、端子Ｐ２は、電圧検出端子Ｓ４とトランスＴ３７の一次巻線の端子Ｐ１とに接続されている。トランスＴ３７の一次巻線の端子Ｐ２は、ＩＮＶ−端子に接続されている。すなわち、第４組に属するトランスＴ３５の一次巻線と第５組に属するトランスＴ３７の一次巻線とは直列に接続されている。
【００６７】
上で述べたようにトランスＴ３６の一次巻線の端子Ｐ１は、ＩＮＶ＋端子に接続されており、端子Ｐ２は、電圧検出端子Ｓ１０とトランスＴ２２の一次巻線の端子Ｐ１とに接続されている。すなわち、第４組に属するトランスＴ３６の一次巻線と第１組に属するトランスＴ２２の一次巻線とは直列に接続されている。
【００６８】
さらに、上でも述べたように、トランスＴ３７の一次巻線の端子Ｐ１は、電圧検出端子Ｓ４とトランスＴ３５の一次巻線の端子Ｐ２に接続されており、トランスＴ３７の一次巻線の端子Ｐ２は、ＩＮＶ−端子に接続されている。すなわち、第５組に属するトランスＴ３７の一次巻線と第４組に属するトランスＴ３５の一次巻線とは直列に接続されている。
【００６９】
また、トランスＴ３７の二次巻線の端子Ｓ１は、放電管ＬＰ３７の一端に接続され、放電管ＬＰ３７の他端はトランスＴ４０の二次巻線の端子Ｓ２に接続される。トランスＴ４０の二次巻線の端子Ｓ１は、放電管ＬＰ４０の一端に接続され、放電管ＬＰ４０の他端は、トランスＴ３９の二次巻線の端子Ｓ２に接続されている。トランスＴ３９の二次巻線の端子Ｓ１は、放電管ＬＰ３９の一端に接続され、放電管ＬＰ３９の他端は、トランスＴ３８の二次巻線の端子Ｓ２に接続されている。トランスＴ３８の二次巻線の端子Ｓ１は、放電管ＬＰ３８の一端に接続され、放電管ＬＰ３８の他端は、トランスＴ３７の二次巻線の端子Ｓ２に接続される。このように、放電管ＬＰ３７乃至ＬＰ４０とトランスＴ３７乃至Ｔ４０は、第５組に属すると共に直列に接続されており、閉ループを構成している。この閉ループに含まれる放電管ＬＰ３７乃至ＬＰ４０も、差動フローティング駆動がなされている。
【００７０】
上で述べたようにトランスＴ３８の一次巻線の端子Ｐ１は、電圧検出端子Ｓ８とトランスＴ３２の一次巻線の端子Ｐ２とに接続されており、トランスＴ３８の一次巻線の端子Ｐ２は、ＩＮＶ−端子に接続されている。すなわち、第５組に属するトランスＴ３８の一次巻線と第３組に属するトランスＴ３２の一次巻線とは直列に接続されている。
【００７１】
また、上で述べたように、トランスＴ３９の一次巻線の端子Ｐ１は、電圧検出端子Ｓ５とトランスＴ２１の一次巻線の端子Ｐ２に接続されており、トランスＴ３９の一次巻線の端子Ｐ２は、ＩＮＶ−端子に接続されている。すなわち、第５組に属するトランスＴ３９の一次巻線と第１組に属するトランスＴ２１の一次巻線とは直列に接続されている。
【００７２】
さらに、上で述べたようにトランスＴ４０の一次巻線の端子Ｐ１は、ＩＮＶ＋端子に接続されており、端子Ｐ２は、電圧検出端子Ｓ９とトランスＴ２６の一次巻線の端子Ｐ１とに接続されている。すなわち、第５組に属するトランスＴ４０の一次巻線と第２組に属するトランスＴ２６の一次巻線とは直列に接続されている。
【００７３】
ＩＮＶ＋端子は、図示しないインバータ回路の第１の端子に接続され、ＩＮＶ−端子は、当該インバータ回路の第２の端子に接続される。また、電圧検出端子Ｓ１乃至Ｓ１０は、図３に示す回路に接続される。
【００７４】
第１の実施の形態と第２の実施の形態との主な差は、閉ループに含まれる放電管の本数が２本から４本に変更されたことである。このように閉ループに含まれる放電管の本数が４本になると、４つのトランスの一次巻線を他の組のトランスの一次巻線と接続させることができる。本実施の形態では、４つのトランスの一次巻線が、それ以外のいずれかのトランスの一次巻線に接続される。第１組のトランスの場合、第２組乃至第５組の各トランスのいずれか１つに接続される。また、図８のように放電管を一列に並べる場合には、放電管の左側については、隣接する組（５組の隣接は１組と４組とする）のトランスの一次巻線がカスケード直列で接続され、放電管の右側については２つ離れた組のトランスの一次巻線がカスケード直列で接続されている。
【００７５】
組間の接続の様子を図９にまとめて示す。図９において点線は隣接組への接続を表し、実線は２つ離れた組への接続を表す。点線で結ばれる組は、放電管の左側トランスの一次巻線が接続されており、実線で結ばれる組は、放電管の右側トランスの一次巻線が接続されている。このように、任意の組間が一次巻線の直列接続を有するため、電流均一性の精度が高い。また、最も遠い接続でも、右側の２つ離れた組間であるから、第１の実施の形態より結合が強く、電流均一性が向上している。
【００７６】
３．実施の形態３
図１０に第３の実施の形態に係る放電管点灯回路３０について説明する。放電管点灯回路３０は、トランスＴ４１乃至Ｔ６０と、放電管ＬＰ４１乃至ＬＰ６０とを有する。本実施の形態では、トランスＴ５１、Ｔ５３、Ｔ５８及びＴ６０により第１組が構成され、トランスＴ４７、Ｔ４９、Ｔ５４及びＴ５６により第２組が構成され、トランスＴ４３、Ｔ４５、Ｔ５０及びＴ５２により第３組が構成され、トランスＴ４１、Ｔ５９、Ｔ４６及びＴ４８により第４組が構成され、トランスＴ５５、Ｔ５７、Ｔ４２及びＴ４４により第５組が構成される。
【００７７】
トランスＴ４１の一次巻線の端子Ｐ１は、トランスＴ５９の一次巻線の端子Ｐ２に接続されており、トランスＴ４１の一次巻線の端子Ｐ２は、トランスＴ４６の一次巻線の端子Ｐ１に接続されている。トランスＴ４６の一次巻線の端子Ｐ２は、トランスＴ４８の一次巻線の端子Ｐ１に接続されており、トランスＴ４８の一次巻線の端子Ｐ２は−ＩＮＶ端子に接続されている。トランスＴ５９の一次巻線の端子Ｐ１は、＋ＩＮＶ端子に接続されている。このように第４組のトランスＴ４１、Ｔ５９、Ｔ４６及びＴ４８の一次巻線は直列に接続されている。
【００７８】
また、トランスＴ４１の二次巻線の端子Ｓ１は、放電管ＬＰ４１の一端に接続され、放電管ＬＰ４１の他端は、トランスＴ４２の二次巻線の端子Ｓ１に接続されている。トランスＴ４２の二次巻線の端子Ｓ２は、放電管ＬＰ４２の一端に接続され、放電管ＬＰ４２の他端は、トランスＴ４１の二次巻線の端子Ｓ２に接続される。このように、トランスＴ４１及びＴ４２の二次巻線と放電管ＬＰ４１及びＬＰ４２とは直列に接続され、閉ループを構成している。この閉ループに含まれる放電管ＬＰ４１及びＬＰ４２は、差動フローティング駆動がなされている。
【００７９】
トランスＴ４２の一次巻線の端子Ｐ１は、トランスＴ５７の一次巻線の端子Ｐ２に接続され、トランスＴ５７の一次巻線の端子Ｐ１は、トランスＴ５５の一次巻線の端子Ｐ２に接続されている。トランスＴ５５の一次巻線の端子Ｐ１は、＋ＩＮＶ端子に接続されている。トランスＴ４２の一次巻線の端子Ｐ２は、トランスＴ４４の一次巻線の端子Ｐ１に接続され、トランスＴ４４の一次巻線の端子Ｐ２は、−ＩＮＶ端子に接続されている。このように第５組のトランスＴ４２、Ｔ４４、Ｔ５５及びＴ５７の一次巻線は直列に接続されている。
【００８０】
そして、トランスＴ４４の二次巻線の端子Ｓ１は、放電管ＬＰ４３の一端に接続され、放電管ＬＰ４３の他端は、トランスＴ４３の二次巻線の端子Ｓ１に接続されている。トランスＴ４３の二次巻線の端子Ｓ２は、放電管ＬＰ４４の一端に接続され、放電管ＬＰ４４の他端は、トランスＴ４４の二次巻線の端子Ｓ２に接続される。このように、トランスＴ４３及びＴ４４の二次巻線と放電管ＬＰ４３及びＬＰ４４とは直列に接続され、閉ループを構成している。この閉ループに含まれる放電管ＬＰ４３及びＬＰ４４も、差動フローティング駆動がなされている。
【００８１】
トランスＴ４３の一次巻線の端子Ｐ１は、＋ＩＮＶ端子に接続されている。また、トランスＴ４３の一次巻線の端子Ｐ２は、トランスＴ４５の一次巻線の端子Ｐ１に接続される。トランスＴ４５の一次巻線の端子Ｐ２は、トランスＴ５０の一次巻線の端子Ｐ１に接続されており、トランスＴ５０の一次巻線の端子Ｐ２はトランスＴ５２の一次巻線の端子Ｐ１に接続されている。トランスＴ５２の一次巻線の端子Ｐ２は、−ＩＮＶ端子に接続されている。このように第３組のトランスＴ４３、Ｔ４５、Ｔ５０及びＴ５２の一次巻線は直列に接続されている。
【００８２】
また、トランスＴ４５の二次巻線の端子Ｓ１は、放電管ＬＰ４５の一端に接続され、放電管ＬＰ４５の他端は、トランスＴ４６の二次巻線の端子Ｓ１に接続されている。トランスＴ４６の二次巻線の端子Ｓ２は、放電管ＬＰ４６の一端に接続され、放電管ＬＰ４６の他端は、トランスＴ４５の二次巻線の端子Ｓ２に接続される。このように、トランスＴ４５及びＴ４６の二次巻線と放電管ＬＰ４５及びＬＰ４６とは直列に接続され、閉ループを構成している。この閉ループに含まれる放電管ＬＰ４５及びＬＰ４６も、差動フローティング駆動がなされている。
【００８３】
さらに、トランスＴ４８の二次巻線の端子Ｓ１は、放電管ＬＰ４７の一端に接続され、放電管ＬＰ４７の他端は、トランスＴ４７の二次巻線の端子Ｓ１に接続されている。トランスＴ４７の二次巻線の端子Ｓ２は、放電管ＬＰ４８の一端に接続され、放電管ＬＰ４８の他端は、トランスＴ４８の二次巻線の端子Ｓ２に接続される。このように、トランスＴ４７及びＴ４８の二次巻線と放電管ＬＰ４７及びＬＰ４８とは直列に接続され、閉ループを構成している。この閉ループに含まれる放電管ＬＰ４７及びＬＰ４８も、差動フローティング駆動がなされている。
【００８４】
トランスＴ４７の一次巻線の端子Ｐ１は、＋ＩＮＶ端子に接続され、端子Ｐ２は、トランスＴ４９の一次巻線の端子Ｐ１に接続される。トランスＴ４９の一次巻線の端子Ｐ２は、トランスＴ５４の一次巻線の端子Ｐ１に接続され、トランスＴ５４の一次巻線の端子Ｐ２は、トランスＴ５６の一次巻線の端子Ｐ１に接続される。トランスＴ５６の一次巻線の端子Ｐ２は、−ＩＮＶ端子に接続されている。このように第２組のトランスＴ４７、Ｔ４９、Ｔ５４及びＴ５６の一次巻線は直列に接続されている。
【００８５】
また、トランスＴ４９の二次巻線の端子Ｓ１は、放電管ＬＰ４９の一端に接続され、放電管ＬＰ４９の他端は、トランスＴ５０の二次巻線の端子Ｓ１に接続されている。トランスＴ５０の二次巻線の端子Ｓ２は、放電管ＬＰ５０の一端に接続され、放電管ＬＰ５０の他端は、トランスＴ４９の二次巻線の端子Ｓ２に接続される。このように、トランスＴ４９及びＴ５０の二次巻線と放電管ＬＰ４９及びＬＰ５０とは直列に接続され、閉ループを構成している。この閉ループに含まれる放電管ＬＰ４９及びＬＰ５０も、差動フローティング駆動がなされている。
【００８６】
さらに、トランスＴ５２の二次巻線の端子Ｓ１は、放電管ＬＰ５１の一端に接続され、放電管ＬＰ５１の他端は、トランスＴ５１の二次巻線の端子Ｓ１に接続されている。トランスＴ５１の二次巻線の端子Ｓ２は、放電管ＬＰ５２の一端に接続され、放電管ＬＰ５２の他端は、トランスＴ５２の二次巻線の端子Ｓ２に接続される。このように、トランスＴ５１及びＴ５２の二次巻線と放電管ＬＰ５１及びＬＰ５２とは直列に接続され、閉ループを構成している。この閉ループに含まれる放電管ＬＰ５１及びＬＰ５２も、差動フローティング駆動がなされている。
【００８７】
トランスＴ５１の一次巻線の端子Ｐ１は、＋ＩＮＶ端子に接続されており、端子Ｐ２は、トランスＴ５３の一次巻線の端子Ｐ１に接続されている。トランスＴ５３の一次巻線の端子Ｐ２は、トランスＴ５８の一次巻線の端子Ｐ１に接続され、トランスＴ５８の一次巻線の端子Ｐ２は、トランスＴ６０の一次巻線の端子Ｐ１に接続されている。トランスＴ６０の一次巻線の端子Ｐ２は、−ＩＮＶ端子に接続されている。このように、第１組のトランスＴ５１、Ｔ５３、Ｔ５８及びＴ６０の一次巻線は直列に接続されている。
【００８８】
また、トランスＴ５３の二次巻線の端子Ｓ１は、放電管ＬＰ５３の一端に接続され、放電管ＬＰ５３の他端は、トランスＴ５４の二次巻線の端子Ｓ１に接続されている。トランスＴ５４の二次巻線の端子Ｓ２は、放電管ＬＰ５４の一端に接続され、放電管ＬＰ５４の他端は、トランスＴ５３の二次巻線の端子Ｓ２に接続される。このように、トランスＴ５３及びＴ５４の二次巻線と放電管ＬＰ５３及びＬＰ５４とは直列に接続され、閉ループを構成している。この閉ループに含まれる放電管ＬＰ５３及びＬＰ５４も、差動フローティング駆動がなされている。
【００８９】
さらに、トランスＴ５６の二次巻線の端子Ｓ１は、放電管ＬＰ５５の一端に接続され、放電管ＬＰ５５の他端は、トランスＴ５５の二次巻線の端子Ｓ１に接続されている。トランスＴ５５の二次巻線の端子Ｓ２は、放電管ＬＰ５６の一端に接続され、放電管ＬＰ５６の他端は、トランスＴ５６の二次巻線の端子Ｓ２に接続される。このように、トランスＴ５５及びＴ５６の二次巻線と放電管ＬＰ５５及びＬＰ５６とは直列に接続され、閉ループを構成している。この閉ループに含まれる放電管ＬＰ５５及びＬＰ５６も、差動フローティング駆動がなされている。
【００９０】
また、トランスＴ５７の二次巻線の端子Ｓ１は、放電管ＬＰ５７の一端に接続され、放電管ＬＰ５７の他端は、トランスＴ５８の二次巻線の端子Ｓ１に接続されている。トランスＴ５８の二次巻線の端子Ｓ２は、放電管ＬＰ５８の一端に接続され、放電管ＬＰ５８の他端は、トランスＴ５７の二次巻線の端子Ｓ２に接続される。このように、トランスＴ５７及びＴ５８の二次巻線と放電管ＬＰ５７及びＬＰ５８とは直列に接続され、閉ループを構成している。この閉ループに含まれる放電管ＬＰ５７及びＬＰ５８も、差動フローティング駆動がなされている。
【００９１】
さらに、トランスＴ５９の二次巻線の端子Ｓ１は、放電管ＬＰ５９の一端に接続され、放電管ＬＰ５９の他端は、トランスＴ６０の二次巻線の端子Ｓ１に接続されている。トランスＴ６０の二次巻線の端子Ｓ２は、放電管ＬＰ６０の一端に接続され、放電管ＬＰ６０の他端は、トランスＴ５９の二次巻線の端子Ｓ２に接続される。このように、トランスＴ５９及びＴ６０の二次巻線と放電管ＬＰ５９及びＬＰ６０とは直列に接続され、閉ループを構成している。この閉ループに含まれる放電管ＬＰ５９及びＬＰ６０も、差動フローティング駆動がなされている。
【００９２】
＋ＩＮＶ端子は、図示しないインバータ回路の第１の端子に接続され、−ＩＮＶ端子は当該インバータ回路の第２の端子に接続される。
【００９３】
このように、第１組に属する４つのトランスの二次巻線は、４つの別閉ループに属する。そして、当該閉ループが含むもう一つの二次巻線のトランスは、第２組、第３組、第４組及び第５組に属する。さらに、第２組に属する４つのトランスの二次巻線は、４つの別閉ループに属する。そして、当該閉ループが含むもう一つの二次巻線のトランスは、第１組、第３組、第４組及び第５組に属する。
【００９４】
また、第３組に属する４つのトランスの二次巻線は、４つの別閉ループに属する。そして、当該閉ループが含むもう一つの二次巻線のトランスは、第１組、第２組、第４組及び第５組に属する。また、第４組に属する４つのトランスの二次巻線は、４つの別閉ループに属する。そして、当該閉ループが含むもう一つの二次巻線のトランスは、第１組、第２組、第３組及び第５組に属する。また、第５組に属する４つのトランスの二次巻線は、４つの別閉ループに属する。そして、当該閉ループが含むもう一つの二次巻線のトランスは、第１組、第２組、第３組及び第４組に属する。
【００９５】
第１の実施の形態と第３の実施の形態との差は、トランスの一次巻線が４直列となっている点である。これにより図１１に模式的に示すように、任意の組間が、トランスの二次巻線を含む１つの閉ループを介して接続されているため、電流均一性の精度が高くなっている。なお、トランスの二次巻線側は、放電管は２本に限定されているので、このことも電流均一性の精度を高めている。なお、図１１において、●は放電管の右側のトランスから閉ループを介して接続されていることを示し、○は放電管の左側のトランスから閉ループを介して接続されていることを示している。全ての組は、左右２つずつ他の組に閉ループを介して接続されている。
【００９６】
以上本発明の実施の形態について説明したが、本発明はこれらの実施の形態に限定されるものではない。例えば、直列に接続させる一次巻線の数、二次巻線に接続される放電管の数については、上で述べた例以外でも実施可能である。また、１つの組に属するトランスを全て他の組のトランスに接続させず、その一部のみを他の組のトランスに接続させるようにしても良い。また、放電管以外のＬＥＤ等のランプに本発明を適用することも可能である。
【図面の簡単な説明】
【００９７】
【図１】従来の回路例を示す図である。
【図２】本発明の第１の実施の形態における回路図である。
【図３】本発明の第１の実施の形態及び第２の実施の形態において電圧検出端子に接続される回路例を示す図である。
【図４】端子と電位の関係を表す図である。
【図５】トランスの一次巻線を直列にする回路例を示す図である。
【図６】トランスの二次巻線を直列にする回路例を示す図である。
【図７】トランスの一次巻線と二次巻線とを別々に直列に接続する回路例を示す図である。
【図８】本発明の第２の実施の形態における回路図である。
【図９】本発明の第２の実施の形態における組間の接続関係を示す図である。
【図１０】本発明の第３の実施の形態における回路図である。
【図１１】本発明の第３の実施の形態における組間の接続関係を示す図である。
【符号の説明】
【００９８】
Ｒ  抵抗    Ｌ  コイル    Ｃ  キャパシタ
Ｔ  トランス    Ｄ  ダイオード
【図１】
2006236876.tif 000003
【図２】
2006236876.tif 000004
【図３】
2006236876.tif 000005
【図４】
2006236876.tif 000006
【図５】
2006236876.tif 000007
【図６】
2006236876.tif 000008
【図７】
2006236876.tif 000009
【図８】
2006236876.tif 000010
【図９】
2006236876.tif 000011
【図１０】
2006236876.tif 000012
【図１１】
2006236876.tif 000013